(57)【要約】【課題】ユーザが絞り込みに必要な情報を意図的に入力せずともユーザの欲する情報をユーザに提供することを目的とする。【解決手段】複数の表示領域それぞれの情報を取得する取得部と、前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、を備える、表示制御装置が提供される。【選択図】図１
2020118919.tif 000002
【特許請求の範囲】
【請求項１】
複数の表示領域それぞれの情報を取得する取得部と、
前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、
を備える、表示制御装置。
【請求項２】
前記複数の表示領域のうち前記注視点が所定時間以上存在した注視領域の情報が属するカテゴリに対応する評価値に前記ポジティブ度に応じた値が加算され、
前記表示制御部は、前記評価値が所定値に達した１または複数のカテゴリが存在する場合、前記複数の表示領域それぞれの情報を制御する、
請求項１に記載の表示制御装置。
【請求項３】
前記表示制御部は、前記評価値が前記所定値に達した１または複数のカテゴリが存在する場合、前記複数の表示領域それぞれの情報が前記１または複数のカテゴリのいずれかに相当する同一カテゴリに属する情報となるように制御する、
請求項２に記載の表示制御装置。
【請求項４】
前記表示制御部は、前記評価値が前記所定値に達した複数のカテゴリが存在する場合、前記複数の表示領域それぞれの情報が前記複数のカテゴリのうち前記評価値が最大のカテゴリに属する情報となるように制御する、
請求項３に記載の表示制御装置。
【請求項５】
前記表示制御部は、前記評価値が前記所定値に達したカテゴリが検出されてから、前記複数の表示領域それぞれの情報の切り替え操作が所定回数検出された場合に、前記複数の表示領域それぞれの情報が前記同一カテゴリに属する情報となるように制御する、
請求項３に記載の表示制御装置。
【請求項６】
前記表示制御部は、前記評価値が前記所定値に達したカテゴリが検出された場合、前記評価値が前記所定値に達したカテゴリに関する情報が表示されるように制御する、
請求項３に記載の表示制御装置。
【請求項７】
前記表示制御装置は、前記注視領域が検出された場合、前記注視領域の情報が属するサブカテゴリに属する複数の情報が前記注視領域に順次に表示されるように制御する関連情報制御部を備える、
請求項２に記載の表示制御装置。
【請求項８】
複数の表示領域それぞれの情報を取得することと、
前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御することと、
を含む、表示制御方法。
【請求項９】
コンピュータを、
複数の表示領域それぞれの情報を取得する取得部と、
前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、
を備える表示制御装置として機能させるためのプログラム。
【請求項１０】
複数の表示領域それぞれの情報を取得する取得部と、
前記複数の表示領域それぞれの情報が表示されるように制御する表示制御部と、
ユーザの注視点を特定する注視点特定部と、
前記ユーザのポジティブ度を算出するポジティブ度算出部と、
を備え、
前記表示制御部は、前記複数の表示領域のいずれかに所定時間以上注視点が存在したときの前記ポジティブ度に基づいて、前記複数の表示領域それぞれの情報を制御する、
表示制御システム。
【発明の詳細な説明】
【技術分野】
【０００１】
本発明は、表示制御装置、表示制御方法、プログラムおよび表示制御システムに関する。
【背景技術】
【０００２】
近年、ユーザにとって有用な各種情報を提供するシステムが知られている。例えば、ユーザに対して観光情報を案内する観光情報案内システムが開示されている（例えば、特許文献１参照）。かかるシステムでは、各地の観光名所に関する情報およびイベントに関する情報が、時期および気候に関連付けてデータベースに保存されている。そして、システムは、旅行者の携帯端末（スマートフォンおよび携帯電話など）からの配信要求（旅行先と旅行時期とを含む）とデータベースの内容とに基づいて旅行に関する情報を選択し、選択した旅行に関する情報を携帯端末に配信する。
【０００３】
かかる技術によれば、旅行先と旅行時期とに対応した旅行に関する情報が選択されて旅行者に提供されるため、旅行者の需要に合致した満足度の高い旅行に関する情報が旅行者に配信され得る。
【先行技術文献】
【特許文献】
【０００４】
【特許文献１】特開２０１５−１８５４５号公報
【発明の概要】
【発明が解決しようとする課題】
【０００５】
かかるシステムをユーザが利用する場合には、ユーザが自身の欲する情報への絞り込みに必要な情報を意図的にシステムに入力する必要があるのが一般的である。しかし、現実的には、ユーザはシステムを利用するに際して、自身の欲する情報を明確に把握できていない場合もあり得る。かかる場合には、ユーザにとって絞り込みに必要な情報を意図的に入力するのは困難な場合がある。
【０００６】
そこで本発明は、ユーザが絞り込みに必要な情報を意図的に入力せずともユーザの欲する情報をユーザに提供することを目的とする。
【課題を解決するための手段】
【０００７】
上記問題を解決するために、本発明のある観点によれば、複数の表示領域それぞれの情報を取得する取得部と、前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、を備える、表示制御装置が提供される。
【０００８】
前記複数の表示領域のうち前記注視点が所定時間以上存在した注視領域の情報が属するカテゴリに対応する評価値に前記ポジティブ度に応じた値が加算され、前記表示制御部は、前記評価値が所定値に達した１または複数のカテゴリが存在する場合、前記複数の表示領域それぞれの情報を制御してもよい。
【０００９】
前記表示制御部は、前記評価値が前記所定値に達した１または複数のカテゴリが存在する場合、前記複数の表示領域それぞれの情報が前記１または複数のカテゴリのいずれかに相当する同一カテゴリに属する情報となるように制御してもよい。
【００１０】
前記表示制御部は、前記評価値が前記所定値に達した複数のカテゴリが存在する場合、前記複数の表示領域それぞれの情報が前記複数のカテゴリのうち前記評価値が最大のカテゴリに属する情報となるように制御してもよい。
【００１１】
前記表示制御部は、前記評価値が前記所定値に達したカテゴリが検出されてから、前記複数の表示領域それぞれの情報の切り替え操作が所定回数検出された場合に、前記複数の表示領域それぞれの情報が前記同一カテゴリに属する情報となるように制御してもよい。
【００１２】
前記表示制御部は、前記評価値が前記所定値に達したカテゴリが検出された場合、前記評価値が前記所定値に達したカテゴリに関する情報が表示されるように制御してもよい。
【００１３】
前記表示制御装置は、前記注視領域が検出された場合、前記注視領域の情報が属するサブカテゴリに属する複数の情報が前記注視領域に順次に表示されるように制御する関連情報制御部を備えてもよい。
【００１４】
また、本発明の他の観点によれば、複数の表示領域それぞれの情報を取得することと、前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御することと、を含む、表示制御方法が提供される。
【００１５】
また、本発明の他の観点によれば、コンピュータを、複数の表示領域それぞれの情報を取得する取得部と、前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、を備える表示制御装置として機能させるためのプログラムが提供される。
【００１６】
また、本発明の他の観点によれば、複数の表示領域それぞれの情報を取得する取得部と、前記複数の表示領域それぞれの情報が表示されるように制御する表示制御部と、ユーザの注視点を特定する注視点特定部と、前記ユーザのポジティブ度を算出するポジティブ度算出部と、を備え、前記表示制御部は、前記複数の表示領域のいずれかに所定時間以上注視点が存在したときの前記ポジティブ度に基づいて、前記複数の表示領域それぞれの情報を制御する、表示制御システムが提供される。
【発明の効果】
【００１７】
以上説明したように本発明によれば、ユーザが絞り込みに必要な情報を意図的に入力せずともユーザの欲する情報をユーザに提供することが可能となる。
【図面の簡単な説明】
【００１８】
【図１】本発明の第１の実施形態に係る表示制御システムの概略的な構成の一例を示す図である。
【図２】同実施形態に係る情報提示装置の機能構成の一例を示すブロック図である。
【図３】同実施形態に係る表示制御システムの利用例を説明するための図である。
【図４】同実施形態に係る表示制御システムの利用例を説明するための図である。
【図５】同実施形態に係る表示制御システムの利用例を説明するための図である。
【図６】同実施形態に係る表示制御システムの利用例を説明するための図である。
【図７】同実施形態に係る表示制御システムの動作例を示すフローチャートである。
【図８】本発明の第２の実施形態に係る情報提示装置の機能構成の一例を示すブロック図である。
【図９】本発明の第２の実施形態に係る表示制御システムの利用例を説明するための図である。
【図１０】同実施形態に係る表示制御システムの利用例を説明するための図である。
【図１１】同実施形態に係る表示制御システムの利用例を説明するための図である。
【図１２】同実施形態に係る表示制御システムの利用例を説明するための図である。
【図１３】同実施形態に係る表示制御システムの利用例を説明するための図である。
【図１４】同実施形態に係る表示制御システムの動作例を示すフローチャートである。
【図１５】本発明の実施形態に係る装置のハードウェア構成の一例を示すブロック図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、本明細書及び図面において、実質的に同一または類似の機能構成を有する複数の構成要素を、同一の符号の後に異なるアルファベットを付して区別する。ただし、実質的に同一または類似の機能構成を有する複数の構成要素の各々を特に区別する必要がない場合、同一符号のみを付する。
【００２１】
（０．概要）
近年、ユーザにとって有用な各種情報を提供するシステムが知られている。例えば、ユーザに対して観光情報を案内する観光情報案内システムが開示されている。かかるシステムでは、各地の観光名所に関する情報およびイベントに関する情報が、時期および気候に関連付けてデータベースに保存されている。そして、システムは、旅行者の携帯端末（スマートフォンおよび携帯電話など）からの配信要求（旅行先と旅行時期とを含む）とデータベースの内容とに基づいて旅行に関する情報を選択し、選択した旅行に関する情報を携帯端末に配信する。
【００２２】
かかる技術によれば、旅行先と旅行時期とに対応した旅行に関する情報が選択されて旅行者に提供されるため、旅行者の需要に合致した満足度の高い旅行に関する情報が旅行者に配信され得る。
【００２３】
かかるシステムをユーザが利用する場合には、ユーザが自身の欲する情報への絞り込みに必要な情報をシステムに入力する必要があるのが一般的である。しかし、現実的には、ユーザはシステムを利用するに際して、自身の欲する情報を明確に把握できていない場合もあり得る。かかる場合には、ユーザにとって絞り込みに必要な情報を入力するのは困難な場合がある。
【００２４】
そこで、本発明の実施形態では、ユーザが絞り込みに必要な情報を意図的に入力せずともユーザの欲する情報をユーザに提供することが可能な技術を提案する。より具体的に、本発明の実施形態では、システムによって表示された情報を見ているユーザがどのような感情であるのかを算出し、ユーザがどの情報をどのような感情で見たかに基づいて、ユーザの現在の気分に合致した情報をシステムから提供する技術を提案する。
【００２５】
（１．第１の実施形態）
続いて、本発明の第１の実施形態について説明する。
【００２６】
（１−１．システム構成）
図１は、本発明の第１の実施形態に係る表示制御システムの概略的な構成の一例を示す図である。図１を参照すると、本発明の第１の実施形態に係る表示制御システム１は、情報提示装置１０と、サーバ４０と、ネットワーク５０とを有する。情報提示装置１０とサーバ４０とは、ネットワーク５０に接続されており、ネットワーク５０を介して相互に通信可能である。なお、図１に示された例では、ネットワーク５０に接続されている情報提示装置１０は１台である。しかし、複数の情報提示装置１０がネットワーク５０に接続されていてもよい。
【００２７】
また、本発明の第１の実施形態では、表示制御システム１が、観光名所に関する情報をユーザに提示する観光案内システムである場合を主に想定する。しかし、表示制御システム１の種類は、ユーザに情報提示を行うシステムであれば限定されない。例えば、表示制御システム１は、交通手段（例えば、鉄道、バス、航空機など）の経路情報をユーザに提示する経路探索システムであってもよい。あるいは、表示制御システム１は、旅行の経路情報をユーザに提示する旅行の経路探索システムであってもよい。その場合には、経路情報に施設（例えば、宿泊施設、レジャー施設など）が含まれてもよい。
【００２８】
また、本発明の第１の実施形態では、情報提示装置１０が、駅構内に設置される大型端末である場合を主に想定する。しかし、情報提示装置１０は、家庭内などに設置される音声入出力装置などであってもよい。例えば、音声入出力装置は、ＡＩ（Ａｒｔｉｆｉｃｉａｌ  Ｉｎｔｅｌｌｉｇｅｎｃｅ）スピーカであってもよい。あるいは、情報提示装置１０は、スマートフォンなどの携帯端末であってもよいし、ＰＣ（Ｐｅｒｓｏｎａｌ  Ｃｏｍｐｕｔｅｒ）であってもよい。情報提示装置１０は、ユーザによって視認される情報を制御する表示制御装置の例として機能し得る。
【００２９】
サーバ４０が設置される位置も限定されない。サーバ４０は、ユーザによって視認される情報を情報提示装置１０に提供する情報提供装置の例として機能し得る。
【００３０】
（１−２．情報提示装置の機能構成）
次に、図２を参照して、本発明の第１の実施形態に係る情報提示装置１０の機能構成の一例を説明する。図２は、本発明の第１の実施形態に係る情報提示装置１０の機能構成の一例を示すブロック図である。図２を参照すると、情報提示装置１０は、制御部１１０、操作部１３０、センサ部１４０、記憶部１５０、通信部１６０、音声出力部１７０、表示部１８０および発券部１９０を備える。
【００３１】
（操作部１３０）
操作部１３０は、入力部の一例として機能し、ユーザからの入力を受け付ける。ここでは、操作部１３０がタッチパネルを含んでいる場合を想定するが、操作部１３０の形態は限定されない。例えば、操作部１３０は、ボタンなどを含んでもよい。あるいは、操作部１３０は、ユーザからの音声の入力を受け付けるマイクロフォンを含んでもよい。操作部１３０は、ユーザからの入力を制御部１１０へ提供する。なお、操作部１３０は、入力装置８１５により実装され得る。
【００３２】
（センサ部１４０）
センサ部１４０は、ユーザの眼球および顔に対して外的にセンシングを行ってセンサデータ（撮像データ）を得る。センサ部１４０によって得られた眼球のセンサデータは、注視点特定部１１２によって利用される。一方、センサ部１４０によって得られた顔のセンサデータは、ポジティブ度算出部１１３によって利用される。ここでは、眼球のセンサデータが赤外線センサによって得られ、顔のセンサデータが可視光センサによって得られる場合を想定する。しかし、センサの種類は限定されない。例えば、眼球のセンサデータおよび顔のセンサデータは、共に可視光センサによって得られてもよい。なお、センサ部１４０は、センサ８１３により実装され得る。
【００３３】
（記憶部１５０）
記憶部１５０は、情報提示装置１０の動作を制御するためのプログラムおよびデータを記憶する。当該プログラムには、ＯＳ（Ｏｐｅｒａｔｉｎｇ  Ｓｙｓｔｅｍ）およびアプリケーションなどが含まれる。なお、記憶部１５０は、記憶装置８０９により実装され得る。
【００３４】
（通信部１６０）
通信部１６０は、他の装置と通信する。例えば、通信部１６０は、ネットワーク５０に直接的に接続され、ネットワーク５０を介してサーバ４０と通信する。なお、通信部１６０は、通信インタフェース８１１により実装され得る。
【００３５】
（音声出力部１７０）
音声出力部１７０は、提示部の一例として機能し、制御部１１０による制御に従って、ＶＵＩ（Ｖｏｉｃｅ  Ｕｓｅｒ  Ｉｎｔｅｒｆａｃｅ）によって提示情報をユーザに提示する（音声を出力する）。ここでは、音声出力部１７０がスピーカによって構成される場合を想定するが、音声出力部１７０の形態は限定されない。なお、音声出力部１７０は、スピーカ８１９により実装され得る。
【００３６】
（表示部１８０）
表示部１８０は、提示部の一例として機能し、表示制御部１１９による制御に従って、ＧＵＩ（Ｇｒａｐｈｉｃａｌ  Ｕｓｅｒ  Ｉｎｔｅｒｆａｃｅ）によって提示情報をユーザに提示する（画面に表示する）。ここでは、表示部１８０がタッチパネルに積層されたディスプレイによって構成される場合を想定するが、表示部１８０の形態は限定されない。なお、表示部１８０は、表示装置８２３により実装され得る。
【００３７】
（発券部１９０）
発券部１９０は、表示部１８０によって表示されている情報のいずれかが選択された状態において、ユーザによって確定操作が入力された場合に、選択された情報に対応するチケットを発券する。例えば、発券部１９０は、ユーザによって確定操作が入力された場合、選択された情報に対応する内容を紙面に印刷してチケットを発券する。
【００３８】
（制御部１１０）
制御部１１０は、情報提示装置１０が有する様々な機能を提供する。制御部１１０は、取得部１１１、注視点特定部１１２、ポジティブ度算出部１１３、絞込有効化部１１４、情報絞込部１１５および表示制御部１１９を有する。なお、制御部１１０は、ＣＰＵ８０３、ＲＯＭ８０５およびＲＡＭ８０７（図１５）により実装され、ＣＰＵ８０３によってＲＯＭ８０５から読み込まれたプログラムがＲＡＭ８０７に展開され、当該プログラムがＣＰＵ８０３によって実行されることによって実現される。
【００３９】
（１−３．システムの利用例）
続いて、本発明の第１の実施形態に係る表示制御システム１の利用例について説明する。図３〜図６は、本発明の第１の実施形態に係る表示制御システム１の利用例を説明するための図である。まず、情報提示装置１０において、取得部１１１は、サーバ４０から通信部１６０を介して複数の表示領域それぞれの情報を取得する。そして、表示制御部１１９は、複数の表示領域それぞれの情報が表示されるように制御する。ユーザは、複数の表示領域のいずれかを選択することが可能である。
【００４０】
図３を参照すると、ユーザが領域選択を行うための選択画面１８１−１が表示されている。選択画面１８１−１では、複数の表示領域の例として、９つの表示領域が示されており、９つの表示領域それぞれに情報が表示されている。しかし、表示領域の数は複数であれば限定されない。そして、各表示領域に表示される情報は、画像データおよびテキストデータなどといった各種のコンテンツを含んでよいが、各表示領域に表示される情報の種類も限定されない。
【００４１】
また、各表示領域に表示される情報は、あるカテゴリに属している。図３を参照すると、カテゴリ「建築」に属する情報の例として、情報（建築Ａ、建築Ｂ、建築Ｃ）が表示されている。また、カテゴリ「社寺」に属する情報の例として、情報（社寺Ａ、社寺Ｂ、社寺Ｃ）が表示されている。また、カテゴリ「庭園」に属する情報の例として、情報（庭園Ａ、庭園Ｂ、庭園Ｃ）が表示されている。このようにユーザの状況がまだ把握されていない段階では、図３に示されたように、各カテゴリに属する情報の量がカテゴリ間で均等になるように表示されるのが望ましい。
【００４２】
また、各カテゴリには評価値が対応付けられている。最初は各カテゴリに対応する評価値には、初期値が設定されている。ここでは、評価値の初期値としてゼロが設定されている場合を想定する。しかし、評価値の初期値は限定されない。
【００４３】
表示制御部１１９は、ユーザの注視点が複数の表示領域のいずれかに所定時間以上存在したときのユーザのポジティブ度に基づいて、複数の表示領域それぞれの情報を制御する。これによって、ユーザが絞り込みに必要な情報を入力せずともユーザの欲する情報をユーザに提供することが可能となる。例えば、所定時間は３秒などであってよいが、特定の時間に限定されない。以下では、複数の表示領域それぞれの情報の制御についてさらに詳細に説明する。
【００４４】
注視点特定部１１２は、センサ部１４０によって検出されたユーザの眼球のセンサデータに基づいて、ユーザの注視点を特定する。注視点は、どのように特定されてもよい。例えば、注視点特定部１１２は、センサ部１４０によって検出されたユーザの眼球運動がセンシングされて得られた撮像データに基づいて、ユーザの注視点を特定してもよい。
【００４５】
ポジティブ度算出部１１３は、注視点特定部１１２によって特定された注視点が複数の表示領域のいずれかに所定時間以上存在した場合に、センサ部１４０によって検出されたユーザの顔のセンサデータに基づいて、ユーザのポジティブ度を算出する。ポジティブ度はどのように算出されてもよい。ポジティブ度算出部１１３は、複数の表示領域のうち注視点が所定時間以上存在した注視領域の情報が属するカテゴリに対応する評価値にポジティブ度に応じた値を加算する。ここで、ポジティブ度に応じた値は限定されない。
【００４６】
ここでは、ポジティブ度算出部１１３が、ユーザのポジティブ度が所定のポジティブ度以上である場合に、注視領域の情報が属するカテゴリに対応する評価値に１を加算し、ユーザのポジティブ度が所定のポジティブ度未満である場合に、評価値への加算を行わない場合を想定する。しかし、評価値に加算される値は、１以外の値であってもよい。あるいは、ポジティブ度算出部１１３は、ユーザのポジティブ度そのものを評価値に加算してもよい。
【００４７】
ここでは、選択画面１８１−１（図３）が表示されている間に、ユーザが「建築Ａ」の表示されている表示領域を注視し、ユーザのポジティブ度が所定のポジティブ度以上となり、カテゴリ「建築」に対応する評価値に１が加算された場合を想定する。なお、注視領域からユーザの注視点が外れた場合には、（評価値は維持したまま）ポジティブ度の算出が停止されてよい。
【００４８】
表示制御部１１９は、評価値が所定値に達した１または複数のカテゴリが存在する場合、複数の表示領域それぞれの情報を制御する。ここでは、所定値が３である場合を想定する。しかし、所定値は特に限定されない。
【００４９】
ここでは、選択画面１８１−１（図３）が表示されている間には、評価値が所定値に達した１または複数のカテゴリが存在しなかった場合を想定する。しかし、選択画面１８１−１（図３）が表示されている間に、評価値が所定値に達した１または複数のカテゴリが存在してもよい。かかる場合には、以下に説明するような、選択画面１８１−２（図４）において評価値が所定値に達した１または複数のカテゴリが存在した場合に実行される処理と同様の処理が実行されてよい。
【００５０】
なお、選択画面１８１に同時に表示可能な情報（以下、「表示区分」とも言う。）の数には限りがある。したがって、まず、選択画面１８１−１における複数の表示領域には最初に表示される表示区分（第１の表示区分）が表示される。そして、操作部１３０によってユーザによる切り替え操作（図３に示した例では、「スワイプ操作」）が検出された場合、表示制御部１１９は、複数の表示領域に表示される情報を次の表示区分（第２の表示区分）に切り替える。それぞれの表示区分は、最初に一括でサーバ４０から取得されてもよいし、切り替え操作が検出されるたびにサーバ４０から逐一取得されてもよい。
【００５１】
ここでは、選択画面１８１−１において、ユーザが切り替え操作（例えば、上方向へのスワイプ操作）を入力し、操作部１３０によってユーザによる切り替え操作が検出された場合を想定する。かかる場合、表示制御部１１９は、複数の表示領域に表示される情報を次の表示区分に切り替える（第１の表示区分から第２の表示区分に切り替える）。図４を参照すると、次の表示区分が表示された選択画面１８１−２が示されている。
【００５２】
図４を参照すると、カテゴリ「建築」に属する情報の例として、情報（建築Ｄ、建築Ｅ、建築Ｆ）が表示されている。また、カテゴリ「社寺」に属する情報の例として、情報（社寺Ｄ、社寺Ｅ、社寺Ｆ）が表示されている。また、カテゴリ「庭園」に属する情報の例として、情報（庭園Ｄ、庭園Ｅ、庭園Ｆ）が表示されている。なお、図３および図４に示したように、選択画面１８１−１に表示される情報と選択画面１８１−２に表示される情報とは、重複しないのが望ましい。
【００５３】
ここで、選択画面１８１−２（図４）が表示されている間に、選択画面１８１−１（図３）が表示されているときから累積して、評価値が所定値に達した１または複数のカテゴリが存在した場合を想定する。かかる場合、表示制御部１１９は、複数の表示領域それぞれの情報が、評価値が所定値に達した１または複数のカテゴリのいずれかに相当する同一カテゴリに属する情報となるように制御する。
【００５４】
より具体的には、選択画面１８１−２（図４）が表示されている間に、選択画面１８１−１（図３）が表示されているときから累積して、カテゴリ「建築」に対応する評価値が４となり、カテゴリ「庭園」に対応する評価値が３となり、カテゴリ「社寺」に対応する評価値が１となった場合を想定する。すなわち、選択画面１８１−２（図４）が表示されている間に、選択画面１８１−１（図３）が表示されているときから累積して、カテゴリ「建築」に対応する評価値およびカテゴリ「庭園」に対応する評価値それぞれが所定値に達した場合を想定する。
【００５５】
かかる場合、表示制御部１１９は、評価値が所定値に達したカテゴリのうち評価値が最大のカテゴリ「建築」に関する情報（図４に示した例では、「あなたは建築に興味がありそうです。」とのメッセージ）が表示されるように制御する。また、かかる場合、表示制御部１１９は、複数の表示領域それぞれの情報が、複数のカテゴリのうち評価値が最大のカテゴリ「建築」に属する情報となるように制御する。なお、センサデータなどからユーザの属性（例えば、ユーザの年齢、性別、国籍など）が解析されれば、評価値が最大のカテゴリに関する情報は、情報提示装置１０を現在利用しているユーザのみならず、当該ユーザと同じ属性を有するユーザ群の累積評価値が最大のカテゴリに関する情報に置き換えられてもよい。
【００５６】
ここで、複数の表示領域それぞれの情報が同一カテゴリ「建築」に属する情報となるように制御されるタイミングは限定されない。例えば、表示制御部１１９は、評価体が所定値に達したカテゴリ「建築」が検出されてから、情報更新を行う旨を表示させ、自動的に（あるいは、ボタン押下などといった手動により）複数の表示領域それぞれの情報が同一カテゴリ「建築」に属する情報となるように制御してもよい。
【００５７】
あるいは、表示制御部１１９は、評価値が所定値に達したカテゴリが検出されてから、複数の表示領域それぞれの情報の切り替え操作が所定回数検出された場合に、複数の表示領域それぞれの情報が同一カテゴリに属する情報となるように制御してもよい。より具体的に、絞込有効化部１１４は、評価体が所定値に達したカテゴリが検出された場合に、絞り込みトリガーを有効化する。そして、情報絞込部１１５は、絞り込みトリガーが有効化されてから、切り替え操作が所定回数検出された場合に、複数の表示領域それぞれの情報を同一カテゴリに属する情報に絞り込む処理を行う。
【００５８】
ここでは、所定回数が１回である場合を想定する。しかし、所定回数は特定の値に限定されない。あるいは、所定回数は固定値でなくてもよく、ユーザの状況に応じて変化されてもよい。例えば、所定回数は、ユーザのポジティブ度に応じて変化されてもよい。具体的に、ポジティブ度が高いほどユーザが注視領域の情報に強い興味を示していることが想定される。したがって、ポジティブ度が高いほど、所定回数が少なくされてもよい。
【００５９】
ここでは、選択画面１８１−２において、評価値が所定値に達したカテゴリ「建築」が検出されてから、ユーザが切り替え操作を１回入力し、操作部１３０によってユーザによる切り替え操作が１回検出された場合を想定する。かかる場合、表示制御部１１９は、複数の表示領域それぞれの情報が同一カテゴリ「建築」に属する情報となるように制御する。図５を参照すると、複数の表示領域それぞれに同一カテゴリ「建築」に属する情報が表示された選択画面１８１−３が示されている。
【００６０】
図５を参照すると、同一カテゴリ「建築」に属する情報の例として、情報（建築Ａ〜Ｉ）が選択画面１８１−３に表示されている。なお、図５を参照すると、選択画面１８１−３には、切り替え前に表示されていた情報（例えば、選択画面１８１−１（図３）の建築Ａ〜Ｃ、選択画面１８１−２（図４）の建築Ｄ〜Ｆなど）も表示されている。しかし、切り替え前に表示されていた情報は、選択画面１８１−３には表示されなくてもよい。
【００６１】
ここでは、選択画面１８１−３において、ユーザが切り替え操作（例えば、上方向へのスワイプ操作）を入力し、操作部１３０によってユーザによる切り替え操作が検出された場合を想定する。かかる場合、表示制御部１１９は、複数の表示領域に表示される情報を次の表示区分に切り替える。図６を参照すると、次の表示区分が表示された選択画面１８１−４が示されている。
【００６２】
図６を参照すると、同一カテゴリ「建築」に属する情報の例として、情報（建築Ｊ〜Ｒ）が選択画面１８１−４に表示されている。さらにユーザによる切り替え操作が検出された場合には、同様にして次の表示区分が表示されてよい。
【００６３】
なお、図４に示した例では、評価値が所定値に達したカテゴリが２つである場合を主に想定した。しかし、評価値が所定値に達した１つのカテゴリが存在する場合も想定される。かかる場合には、表示制御部１１９は、複数の表示領域それぞれの情報が、評価値が所定値に達したカテゴリに属する情報となるように制御すればよい。かかる場合、表示制御部１１９は、評価値が所定値に達したカテゴリに関する情報（「あなたは建築に興味がありそうです。」などといったメッセージ）が表示されるように制御すればよい。
【００６４】
複数の表示領域のいずれかが選択された状態において、ユーザによって確定操作が入力された場合に、発券部１９０は、選択された表示領域に表示されている情報に対応するチケットを発券する。例えば、発券部１９０は、ユーザによって確定操作が入力された場合、選択された表示領域に表示されている情報に対応する内容を紙面に印刷してチケットを発券する。
【００６５】
（１−４．システムの動作例）
続いて、本発明の第１の実施形態に係る表示制御システム１の動作例について説明する。図７は、本発明の第１の実施形態に係る表示制御システム１の動作例を示すフローチャートである。図７に示されるように、情報提示装置１０において、取得部１１１は、サーバ４０から通信部１６０を介して複数の表示領域それぞれの情報を取得する。そして、表示制御部１１９は、複数の表示領域それぞれの情報が表示されるように制御する。このとき、表示制御部１１９は、各カテゴリの表示件数がカテゴリ間で均等になるように表示制御するのが望ましい（Ｓ１１）。
【００６６】
続いて、センサ部１４０は、ユーザの眼球のセンサデータおよびユーザの顔のセンサデータを取得する（Ｓ１２）。注視点特定部１１２は、センサ部１４０によって検出されたユーザの眼球のセンサデータに基づいて、ユーザの注視点を特定する。ポジティブ度算出部１１３は、注視点特定部１１２によって特定された注視点に基づいて、複数の表示領域の一領域をユーザが所定時間以上注視したか否かを判断する（Ｓ１６）。複数の表示領域の一領域をユーザが所定時間以上注視していないと判断された場合（Ｓ１６において「ＮＯ」）、Ｓ１４に動作が移行される。
【００６７】
Ｓ１４に動作が移行されると、次の表示区分を表示するための操作（切り替え操作）がなければ（Ｓ１４において「ＮＯ」）、Ｓ１２に動作が移行される。一方、次の表示区分を表示するための操作（切り替え操作）があれば（Ｓ１４において「ＹＥＳ」）、表示制御部１１９は、次の表示区分が表示されるように制御し（Ｓ１５）、Ｓ１２に動作が移行される。
【００６８】
一方、ポジティブ度算出部１１３は、複数の表示領域の一領域をユーザが所定時間以上注視していたと判断された場合（Ｓ１６において「ＹＥＳ」）、センサ部１４０によって検出されたユーザの顔のセンサデータに基づいて、ユーザのポジティブ度を算出する。そして、ポジティブ度算出部１１３は、注視領域の情報が属するカテゴリに対応する評価値にポジティブ度に応じた値を加算する（Ｓ１７）。
【００６９】
注視領域の情報が属するカテゴリに対応する評価体が所定値に達していない場合（Ｓ１８において「ＮＯ」）、Ｓ１２に動作が移行される。一方、絞込有効化部１１４は、注視領域の情報が属するカテゴリに対応する評価体が所定値以上である場合（Ｓ１８において「ＹＥＳ」）、絞り込み（絞り込みトリガー）が無効であれば（Ｓ１９において「ＹＥＳ」）、絞り込み（絞り込みトリガー）を有効化し（Ｓ２０）、Ｓ２１に動作が移行される。絞り込み（絞り込みトリガー）が有効であれば（Ｓ１９において「ＮＯ」）、Ｓ２１に動作が移行される。
【００７０】
絞り込みトリガーが有効化されてから、ユーザによって表示区分の遷移操作が所定回数行われていない場合（Ｓ２１において「ＮＯ」）、Ｓ１２に動作が移行される。一方、情報絞込部１１５は、絞り込みトリガーが有効化されてから、ユーザによって表示区分の遷移操作が所定回数行われた場合（Ｓ２１において「ＹＥＳ」）、複数の表示領域それぞれの情報を評価値が所定値以上のカテゴリに属する情報に絞り込む処理を行う（Ｓ２２）。表示制御部１１９は、複数の表示領域それぞれの情報を情報絞込部１１５によって絞り込まれた情報によって更新する（Ｓ２３）。
【００７１】
（１−５．効果）
本発明の第１の実施形態によれば、ユーザが絞り込みに必要な情報を入力せずともユーザの欲する情報をユーザに提供することが可能となる。具体的に、ユーザは情報一覧を眺めるだけでポジティブな感情を抱くカテゴリに自動的に情報を絞り込むことが可能となる。これによって、ユーザは自身の欲する情報が曖昧であっても、そのときの気分に合った情報を探し易くなる。また、ユーザは、全情報を閲覧しなくても所定範囲の表示区分の情報を見ることによって、ポジティブな感情を抱くカテゴリに自動的に情報を絞り込むことが可能であり、検索効率も良いと考えられる。
【００７２】
以上、本発明の第１の実施形態について説明した。
【００７３】
（２．第２の実施形態）
続いて、本発明の第２の実施形態について説明する。以下では、本発明の第２の実施形態に係る表示制御システムが有する構成のうち、本発明の第１の実施形態に係る表示制御システムが有する構成と異なる構成について主に説明する。そして、本発明の第２の実施形態に係る表示制御システムが有する構成のうち、本発明の第１の実施形態に係る表示制御システムが有する構成と共通する構成については、詳細な説明を省略する。
【００７４】
具体的に、本発明の第２の実施形態では、表示制御システムが、本発明の第１の実施形態に係る情報提示装置１０の代わりに、情報提示装置２０を有する。したがって、以下では、本発明の第２の実施形態に係る情報提示装置２０について主に説明する。
【００７５】
（２−１．情報提示装置の機能構成）
次に、図８を参照して、本発明の第２の実施形態に係る情報提示装置２０の機能構成の一例を説明する。図８は、本発明の第２の実施形態に係る情報提示装置２０の機能構成の一例を示すブロック図である。図８を参照すると、本発明の第２の実施形態に係る情報提示装置２０は、制御部１１０の代わりに制御部２１０を有する点において、本発明の第１の実施形態に係る情報提示装置１０と異なっている。さらに、制御部２１０は、関連情報制御部２１１を有する点において、制御部１１０と異なっている。したがって、以下では、関連情報制御部２１１について中心に説明する。
【００７６】
（２−２．システムの利用例）
続いて、本発明の第２の実施形態に係る表示制御システムの利用例について説明する。図９〜図１３は、本発明の第２の実施形態に係る表示制御システムの利用例を説明するための図である。本発明の第１の実施形態と同様に、情報提示装置２０において、取得部１１１は、サーバ４０から通信部１６０を介して複数の表示領域それぞれの情報を取得する。そして、表示制御部１１９は、複数の表示領域それぞれの情報が表示されるように制御する。ユーザは、複数の表示領域のいずれかを選択することが可能である。
【００７７】
図９を参照すると、ユーザが領域選択を行うための選択画面１８１−５が表示されている。選択画面１８１−５においても、複数の表示領域が示されている。ここで、本発明の第２の実施形態では、本発明の第１の実施形態と異なり、各表示領域に表示される情報が、カテゴリだけではなくサブカテゴリにも属している。図９を参照すると、同一カテゴリ「建築」に属する情報の例として、３つの情報が表示されているが、同一カテゴリ「建築」に属する情報でも、サブカテゴリ「タワーＡ」に属する情報と、サブカテゴリ「ビルＤ」に属する情報と、サブカテゴリ「橋Ｕ」に属する情報とが存在している。
【００７８】
また、カテゴリ「社寺」に属する情報の例として、３つの情報が表示されている。また、カテゴリ「庭園」に属する情報の例として、３つの情報が表示されている。本発明の第２の実施形態においても、図９に示されたように、各カテゴリに属する情報の量がカテゴリ間で均等になるように表示されるのが望ましい。
【００７９】
関連情報制御部２１１は、注視点特定部１１２によって特定された注視点が複数の表示領域のいずれかの表示領域（注視領域）に所定時間以上存在した場合に、注視領域の情報が属するサブカテゴリに属する複数の情報が注視領域に順次に表示されるように（切り替え表示されるように）制御する。これによって、切り替え表示が実行されている注視領域に対してユーザが惹きつけられやすくなるため、ポジティブ度に応じた値が評価値に加算されやすくなり（評価値が所定値に達しやすくなり）、情報の絞り込みがより早く行われるようになる。また、評価値自体の測定精度も向上することが期待される。
【００８０】
例えば、選択画面１８１−５（図９）が表示されている間に、カテゴリ「建築」かつサブカテゴリ「タワー」に属する情報（図９における「建築（タワーＡ）」）が表示されている表示領域（注視領域）を注視した場合を想定する。このとき、関連情報制御部２１１は、注視領域の情報が属するサブカテゴリ「タワー」に属する複数の情報が注視領域に順次に表示されるように（切り替え表示されるように）制御する。切り替えの周期は、３秒間隔などであってもよいが、特定の周期に限定されない。なお、注視領域からユーザの注視点が外れた場合には、切り替え表示が停止されてよい。
【００８１】
具体的には、選択画面１８１−６（図１０）には、注視領域にカテゴリ「建築」かつサブカテゴリ「タワー」に属する情報「建築（タワーＡ）」が表示されている。また、選択画面１８１−７（図１１）には、注視領域にカテゴリ「建築」かつサブカテゴリ「タワー」に属する情報「建築（タワーＢ）」が表示されている。また、選択画面１８１−８（図１２）には、注視領域にカテゴリ「建築」かつサブカテゴリ「タワー」に属する情報「建築（タワーＣ）」が表示されている。
【００８２】
また、関連情報制御部２１１は、注視領域の情報が属するサブカテゴリ「タワー」に属する複数の情報が注視領域に順次に表示されるように制御している間、サブカテゴリ「タワー」に関する情報が切り替え表示中であることを表示させてもよい。選択画面１８１−６（図１０）、選択画面１８１−７（図１１）および選択画面１８１−８（図１２）においては、サブカテゴリ「タワー」に関する情報が切り替え表示中であることの例として、「建築（タワー）の切り替え表示中」といったメッセージが表示されている。
【００８３】
一方、ポジティブ度算出部１１３は、注視点特定部１１２によって特定された注視点が複数の表示領域のいずれかに所定時間以上存在した場合に、センサ部１４０によって検出されたユーザの顔のセンサデータに基づいて、ユーザのポジティブ度を算出する。
【００８４】
ここでは、関連情報制御部２１１による切り替え表示と並行して、ポジティブ度算出部１１３によってポジティブ度が算出される場合を想定する。しかし、ポジティブ度が算出されるタイミングは、かかる場合に限定されない。例えば、ポジティブ度算出部１１３は、関連情報制御部２１１による切り替え表示が開始された後に、ポジティブ度算出部１１３によるポジティブ度が算出されてもよいし、関連情報制御部２１１による切り替え表示が停止されてから、ポジティブ度算出部１１３によるポジティブ度が算出されてもよい。
【００８５】
ここでは、選択画面１８１−８（図１２）において、ユーザが切り替え操作（例えば、上方向へのスワイプ操作）を入力し、操作部１３０によってユーザによる切り替え操作が検出された場合を想定する。かかる場合、表示制御部１１９は、複数の表示領域に表示される情報を次の表示区分に切り替える。図１３を参照すると、次の表示区分が表示された選択画面１８１−９が示されている。
【００８６】
（２−３．システムの動作例）
続いて、本発明の第２の実施形態に係る表示制御システム１の動作例について説明する。図１４は、本発明の第２の実施形態に係る表示制御システム１の動作例を示すフローチャートである。図１４に示されるように、第１の実施形態と同様に、第２の実施形態においても、ポジティブ度算出部１１３は、注視点特定部１１２によって特定された注視点に基づいて、複数の表示領域の一領域をユーザが所定時間以上注視したか否かを判断する（Ｓ１６）。
【００８７】
ここで、ポジティブ度算出部１１３は、複数の表示領域の一領域をユーザが所定時間以上注視していたと判断された場合（Ｓ１６において「ＹＥＳ」）、ユーザのポジティブ度を算出し、注視領域の情報が属するカテゴリに対応する評価値にポジティブ度に応じた値を加算する（Ｓ１７）。それと並行して、関連情報制御部２１１は、注視領域内の情報のサブカテゴリに属する複数の情報が切り替え表示されるように制御する（Ｓ３１）。そして、Ｓ１８に動作が移行される。なお、上記したように、関連情報制御部２１１による切り替え表示のタイミングは限定されない。
【００８８】
（２−４．効果）
本発明の第２の実施形態によれば、本発明の第１の実施形態と同様の効果が享受され得る。さらに、本発明の第２の実施形態によれば、切り替え表示が実行されている注視領域に対してユーザが惹きつけられやすくなるため、ポジティブ度に応じた値が評価値に加算されやすくなり（評価値が所定値に達しやすくなり）、情報の絞り込みがより早く行われるようになる。また、評価値自体の測定精度も向上することが期待される。
【００８９】
以上、本発明の第２の実施形態について説明した。
【００９０】
（３．ハードウェア構成）
図１５は、本発明の実施形態に係る情報提示装置１０およびサーバ４０（以下、情報提示装置１０およびサーバ４０それぞれを区別せずに「本実施形態に係る装置」と言う場合がある。）のハードウェア構成の一例を示すブロック図である。なお、情報提示装置１０およびサーバ４０それぞれに下記のハードウェア構成のすべてが備えられている必要はなく（例えば、サーバ４０に直接的にセンサが備えられている必要はない）、各装置の機能構成を実現できるハードウェアモジュールが適宜限定して備えられてもよい。
【００９１】
図１５を参照すると、本実施形態に係る装置は、バス８０１、ＣＰＵ（Ｃｅｎｔｒａｌ  Ｐｒｏｃｅｓｓｉｎｇ  Ｕｎｉｔ）８０３、ＲＯＭ（Ｒｅａｄ  Ｏｎｌｙ  Ｍｅｍｏｒｙ）８０５、ＲＡＭ（Ｒａｎｄｏｍ  Ａｃｃｅｓｓ  Ｍｅｍｏｒｙ）８０７、記憶装置８０９、通信インタフェース８１１、センサ８１３、入力装置８１５、表示装置８１７、スピーカ８１９を備える。
【００９２】
ＣＰＵ８０３は、本実施形態に係る装置における様々な処理を実行する。また、ＲＯＭ８０５は、本実施形態に係る装置における処理をＣＰＵ８０３に実行させるためのプログラム及びデータを記憶する。また、ＲＡＭ８０７は、ＣＰＵ８０３の処理の実行時に、プログラム及びデータを一時的に記憶する。
【００９３】
バス８０１は、ＣＰＵ８０３、ＲＯＭ８０５及びＲＡＭ８０７を相互に接続する。バス８０１には、さらに、記憶装置８０９、通信インタフェース８１１、センサ８１３、入力装置８１５、表示装置８１７及びスピーカ８１９が接続される。バス８０１は、例えば、複数の種類のバスを含む。一例として、バス８０１は、ＣＰＵ８０３、ＲＯＭ８０５及びＲＡＭ８０７を接続する高速バスと、該高速バスよりも低速の１つ以上の別のバスを含む。
【００９４】
記憶装置８０９は、本実施形態に係る装置内で一時的または恒久的に保存すべきデータを記憶する。記憶装置８０９は、例えば、ハードディスク（Ｈａｒｄ  Ｄｉｓｋ）等の磁気記憶装置であってもよく、または、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュメモリ（ｆｌａｓｈ  ｍｅｍｏｒｙ）、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）及びＰＲＡＭ（Ｐｈａｓｅ  ｃｈａｎｇｅ  Ｒａｎｄｏｍ  Ａｃｃｅｓｓ  Ｍｅｍｏｒｙ）等の不揮発性メモリ（ｎｏｎｖｏｌａｔｉｌｅ  ｍｅｍｏｒｙ）であってもよい。
【００９５】
通信インタフェース８１１は、本実施形態に係る装置が備える通信手段であり、ネットワークを介して（あるいは直接的に）外部装置と通信する。通信インタフェース８１１は、無線通信用のインタフェースであってもよく、この場合に、例えば、通信アンテナ、ＲＦ回路及びその他の通信処理用の回路を含んでもよい。また、通信インタフェース８１１は、有線通信用のインタフェースであってもよく、この場合に、例えば、ＬＡＮ端子、伝送回路及びその他の通信処理用の回路を含んでもよい。
【００９６】
センサ８１３は、例えばカメラ、マイクロフォン、生体センサ、その他のセンサまたはそれらの複合である。カメラは、被写体を撮像するもので、例えば光学系、撮像素子及び画像処理回路を含む。マイクロフォンは、周囲の音を収音するもので、該音を電気信号へ変換し該電気信号をデジタルデータに変換する。
【００９７】
入力装置８１５は、タッチパネル、マウス、カメラなどの視線検出装置、マイクロフォン等である。表示装置８１７は、本実施形態に係る装置からの出力画像（すなわち表示画面）を表示するもので、例えば液晶、有機ＥＬ（Ｏｒｇａｎｉｃ  Ｌｉｇｈｔ−Ｅｍｉｔｔｉｎｇ  Ｄｉｏｄｅ）、ＣＲＴ（Ｃａｔｈｏｄｅ  Ｒａｙ  Ｔｕｂｅ）等を用いて実現され得る。スピーカ８１９は、音声を出力するもので、デジタルデータを電気信号に変換し該電気信号を音声に変換する。
【００９８】
（４．まとめ）
以上のように、本発明の実施形態によれば、複数の表示領域それぞれの情報を取得する取得部と、前記複数の表示領域それぞれの情報が表示されるように制御し、ユーザの注視点が前記複数の表示領域のいずれかに所定時間以上存在したときの前記ユーザのポジティブ度に基づいて、前記複数の表示領域それぞれの情報を制御する表示制御部と、を備える、表示制御装置が提供される。かかる構成によれば、ユーザが絞り込みに必要な情報を入力せずともユーザの欲する情報をユーザに提供することが可能となる。
【００９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１００】
例えば、上記では、表示制御システム１が、観光案内システムである場合を主に想定した。しかし、表示制御システム１は、インターネットを介したコンテンツ（映画など）の配信サービスを提供するシステムにも適用され得る。表示制御システム１がコンテンツ配信システムである場合、上記した例において複数の表示領域それぞれに表示される情報は、コンテンツ情報に置き換えられてよい。ユーザは当該複数の表示領域から観たいコンテンツに対応する表示領域を選択することができる。
【０１０１】
また、上記では、複数の表示領域それぞれに表示される情報が、カテゴリに対応する評価値に基づいて一回絞り込まれる例を示した。しかし、複数の表示領域それぞれに表示される情報は、一回絞り込まれた後に再度絞り込まれてもよい。具体的に、複数の表示領域それぞれに表示される情報が一回絞り込まれた後に各サブカテゴリに属する情報の量がサブカテゴリ間で均等になるように表示されれば、サブカテゴリ別の評価値に基づいて複数の表示領域それぞれに表示される情報が再度絞り込まれ得る。
【０１０２】
また、上記では、取得部１１１、注視点特定部１１２、ポジティブ度算出部１１３、絞込有効化部１１４、情報絞込部１１５および表示制御部１１９のすべてが、情報提示装置１０の内部に存在する場合を主に説明した。しかし、これらのブロックの一部は、情報提示装置１０の外部に存在してもよい。例えば、情報提示装置１０の内部に、取得部１１１および表示制御部１１９が存在し、注視点特定部１１２、ポジティブ度算出部１１３、絞込有効化部１１４および情報絞込部１１５は、情報提示装置１０の外部に存在してもよい。
【０１０３】
このとき、注視点特定部１１２、ポジティブ度算出部１１３、絞込有効化部１１４および情報絞込部１１５は、情報提示装置１０の外部の一箇所に集中して存在してもよいし、情報提示装置１０の外部の複数箇所に分散して存在してもよい。例えば、情報提示装置１０の外部は、情報提示装置１０に複数の表示領域それぞれの情報を提供するサーバ４０であってもよいし、サーバ４０とは別のコンピュータであってもよい。
【符号の説明】
【０１０４】
１      表示制御システム
１０、２０  情報提示装置
１１０、２１０  制御部
１１１  取得部
１１２  注視点特定部
１１３  ポジティブ度算出部
１１４  絞込有効化部
１１５  情報絞込部
１１９  表示制御部
１３０  操作部
１４０  センサ部
１５０  記憶部
１６０  通信部
１７０  音声出力部
１８０  表示部
１９０  発券部
２１１  関連情報制御部
４０    サーバ
５０    ネットワーク
【図１】
2020118919.tif 000003
【図２】
2020118919.tif 000004
【図３】
2020118919.tif 000005
【図４】
2020118919.tif 000006
【図５】
2020118919.tif 000007
【図６】
2020118919.tif 000008
【図７】
2020118919.tif 000009
【図８】
2020118919.tif 000010
【図９】
2020118919.tif 000011
【図１０】
2020118919.tif 000012
【図１１】
2020118919.tif 000013
【図１２】
2020118919.tif 000014
【図１３】
2020118919.tif 000015
【図１４】
2020118919.tif 000016
【図１５】
2020118919.tif 000017